(57)【要約】  【課題】  身近にあるものを０度以下の低温物として用いることができる扇風機用の送風冷却器を提供することを課題とする。  【解決手段】  身近にあるものとして、想定される飲料用ボトルに水を入れて凍らせ、これをボトル保持手段で保持して固定手段により扇風機に固定することで、０度以下の氷を扇風機の前面若しくは背面に設置し送風を冷却することができる、また、通常は廃棄される飲料用ボトルを使用することで、たとえ紛失や破損により使えなくなっても、日常で利用している飲料用ボトルを再利用することができ、これにより再購入などの手間を省くことができる。【選択図】  図１
2006070812.tif 000002
【特許請求の範囲】
【請求項１】
想定される飲料用ボトルを保持するボトル保持手段と、
前記ボトル保持手段を扇風機の前面若しくは背面に固定する固定手段と
を有する扇風機用送風冷却器。
【請求項２】
前記扇風機用送風冷却器において、さらに、
前記ボトル保持手段の前記飲料用ボトルが保持される位置の下方に水滴を貯める受け皿を有する
請求項１に記載の扇風機用送風冷却器。
【請求項３】
前記ボトル保持手段は、棒状体もしくは線状体を組み合わせたものであって、前記飲料用ボトルの下方２分の１以上を保持するものである請求項１又は２に記載の扇風機用送風冷却器。
【発明の詳細な説明】
【技術分野】
【０００１】
本発明は扇風機に取り付けて送風を冷却する器具に関する。
【背景技術】
【０００２】
扇風機は送風する機能のみがついた装置であるが、従来から、この送風を冷却する方法が種々提案されている。その方法として、下記特許文献１、２に示されるように、低温物を扇風機の前面に設置することで、扇風機の送風を冷却するものがある。この方法は、構成が簡易であり、コストを抑えて製作できるといった利点がある。
【特許文献１】特開２００４−５２７４５号公報
【特許文献２】実開昭５８−１６９１９８号公報
【発明の開示】
【発明が解決しようとする課題】
【０００３】
ところで、上記のような低温物を扇風機の前面に設置する方法では、低温物として蓄冷剤や冷袋などが使用されている。しかし、蓄冷剤は専用のものを使用するために、紛失したり破損した場合などには新たなものを購入する必要がある。上記特許文献２で示される冷袋は冷水を入れた袋であると推測されるが、これは、これは構成上、凍らせた状態で形を維持することは困難であり、０度以上のものを使用するため冷却能力において劣ると考えられる。
本発明は、以上のようなことに鑑みて、身近にあるものを０度以下の低温物として用いることができる扇風機用の送風冷却器を提供することを課題とする。
【課題を解決するための手段】
【０００４】
上記課題を解決するために、本発明は次のような構成を有する。
請求項１に記載の発明は、想定される飲料用ボトルを保持するボトル保持手段と、前記ボトル保持手段を扇風機の前面若しくは背面に固定する固定手段とを有する扇風機用送風冷却器である。想定される飲料用ボトルとしては、３５０ｍｌ、５００ｍｌ、１ｌ、２ｌの大きさの飲料用ペットボトルが例示される。
請求項２に記載の発明は、前記扇風機用送風冷却器において、さらに、前記ボトル保持手段の前記飲料用ボトルが保持される位置の下方に水滴を溜める受け皿を有するものである。なお、受け皿は水滴を溜めることができれば足り、厳密な皿状である必要はない。
請求項３に記載の発明は、前記扇風機用送風冷却器において、前記ボトル保持手段は、棒状体もしくは線状体を組み合わせたであって、前記飲料用ボトルの下方２分の１以上を保持するものである。なお、ここでは、棒状体、線状体を組み合わせたものとして網状物が含まれる。
【発明の効果】
【０００５】
請求項１に記載の発明は、想定される飲料用ボトルに水を入れて凍らせ、これをボトル保持手段で保持して固定手段により扇風機に固定することで、０度以下の氷を扇風機の前面若しくは背面に設置して、送風を冷却することができる。通常は廃棄される飲料用ボトルを使用することで、たとえ紛失や破損により使えなくなっても、日常で利用している飲料用ボトルを再利用することができ、これにより再購入などの手間を省くことができる。
請求項２に記載の発明は、水を入れて凍らせた飲料用ペットボトルの周りには結露により水滴が発生するが、これを下方に設けた受け皿により受けることで、扇風機の下部に水滴を落とすことを避けることができる。
請求項３に記載の発明は、飲料用ボトルの下方２分の１以上を保持することで、安定した状態で固定できるとともに、棒状体もしくは線状体を組み合わせたものとすることで、保持された下方部分の飲料用ボトルにも風が当たり、この部分においても冷却をすることができる。
【発明を実施するための最良の形態】
【０００６】
以下、本発明の形態について、図面を参照しながら説明する。
図１に本発明の形態に係る扇風機用送風冷却器Xの斜視図を示す。本扇風機用送風冷却器Xは、飲料用ボトルとして、５００ｍｌ入りペットボトルを保持するボトル保持部１０、ボトル保持部１０を固定する固定体２０、水滴を溜める受け皿３０よりなる。
ボトル保持部１０は、金属製のほぼ正方形状のリング部材よりなる３つの側面保持部１１、上方が開放したプラスチック製の箱体よりなる下面保持部１２、下面保持部１２と側面保持部１１とを連結する金属製の細長い板状部材からなる２本の連結部材１３とからなる。下面保持部１２の内壁のやや上方よりには、３本の金属製の棒１２ａが固定されており、この棒１２ａがペットボトルの下面を支持する。また、下面保持部１２の側面には受け皿３０を挿入するための穴が棒１２ａより下方に形成されている。側面保持部１１と連結部材１３とは溶接により固定され、下面保持部１２と連結部材１３とはネジにより固定されている。
固定体２０は、フック２１ａを先端に設けたナイロン繊維を編んだベルトよりなる２本の上部固定部２１と、フック２２ａを先端に設けた１本のゴム製のベルトとからなる下部固定部２２とよりなる。２本の上部固定部２１はそれぞれ、２本の連結部材１３の上方近傍に後端をネジ止めすることにより固定されている。下部固定部２２は、下面保持部１３に後端をネジ止めすることにより固定されている。
受け皿３０はブラスチック製の上方が開放した箱状体であり、前記下面保持部１２の側面に設けられる穴から挿入されることで、下面保持部１２内に保持される。
【０００７】
次に以上のような構成を有する扇風機用送風冷却器Ｘの使用方法について説明する。使用者は、まず、２本の上部固定部２１のフック２１ａをそれぞれ扇風機の網状のカバーに引っ掛ける。次に、下部固定部２２のフック２２ａを下部固定部２２を構成するゴムをある程度伸ばした状態で扇風機の網状のカバーに引っ掛ける。これにより扇風機用送風冷却器Ｘを扇風機に固定することができる。次に、予め水を入れて凍らせておいた５００ｍｌ入りのペットボトルをボトル保持部１０に保持させる。図２に扇風機用送風冷却器Ｘを扇風機に装着しペットボトルＡを保持させた状態を示す正面図を、図３に同側面図を示す。この状態で扇風機を始動させると、扇風機からの送風は水を入れて凍らせたペットボトルにより冷却されることとなる。この際、ボトル保持部は棒状体により形成されているので、送風が直接ペットボトルに当たる部分が大きくなり、それだけ、送風を冷却する効果が高くなる。
また、水を入れて凍らせたペットボトルは予め複数用意しておき、装着してから時間が経過し、ペットボトル内の氷が解けて温度が高くなったら、別の水を入れて凍らせたペットボトルを装着することで、長時間送風を冷却することができる。
さらに、ペットボトルの表面には結露により水滴が発生し下方へと流れ落ちるが、ペットボトルは下方支持部１２の棒１２ａにより支持されているので、水滴はさらにこれより下に設けられる受け皿３０内に溜まっていくことになる。水が受け皿３０内にある程度溜まったら、使用者は、扇風機用送風冷却器Ｘを固定したまま、受け皿３０を下面保持部２０より引き出して取り出し、この受け皿３０に溜まった水を捨てることができる。
【０００８】
なお、上記実施の形態では固定部は３本のベルトを使用しているが、固定部の形状はこれには限られない。例えば、ボトル支持部の背面に固定部としてフックを設け、これを扇風機の前面のカバーに直接引っ掛けるようにしたり、扇風機のカバーに挟持固定できるような部材を固定部とすることもできる。なお、本発明の形態のようにベルトを用いて扇風機のカバーの背面で固定することで、前面カバーが動くように構成されるボックス型の扇風機にも対応することができる。
また、上記実施の形態ではペットボトルを扇風機の前面に設置したが、これは背面に設置するようにしてもよく、また、前面と背面の両方に設置するようにしてもよい。
さらに、上記実施の形態では、ペットボトルを立てた状態で保持するようにしているが、横に寝かせた状態で保持するようにしてもよい。
そして、上記実施の形態では、ペットボトルを１本だけ保持するようにしているが、２本以上保持するようにすることもできる。
また、上記の実施の形態では、受け皿の水を使用者が捨てるようにしているが、受け皿に、毛糸のような水を毛細管現象により吸い上げることができる紐状、網状物を浸し、これに固定手段を設けて扇風機のカバー部に固定させることで、毛細管現象により吸い上げられた水分が送風により蒸発するので、水分を捨てる必要がなくなり、また、気化熱により送風をさらに冷やすことができる。
【図面の簡単な説明】
【０００９】
【図１】発明の形態に係る扇風機用送風冷却器を示す斜視図である。
【図２】扇風機用送風冷却器の使用状態を示す正面図である。
【図３】扇風機用送風冷却器の使用状態を示す斜視図である。
【符号の説明】
【００１０】
Ｘ      扇風機用送風冷却器
１０    ボトル保持部
２０    固定部
３０    受け皿
【図１】
2006070812.tif 000003
【図２】
2006070812.tif 000004
【図３】
2006070812.tif 000005